(57)【要約】【課題】取付けの対象が軟弱壁面であっても、棚類、ハンガー類をフック掛けの簡単な作業で強力に取り付けることができ、強度的に信頼性があり体裁も良好である壁面ハンガー装置を提供する。【解決手段】チャンネル形の口両側に細溝が形成された押出形材からなる縦長の主部材と、両細溝に連続して挿入しその間をカバーする複数の長板と、主部材の上下両端を長板が脱出しないように封じる上下一対のキャップと、主部材をそのチャンネル形の内部から壁面に取り付ける固着手段とからなり、長板には棚等の掛止体に付けたフックが掛かる複数の掛止孔を上下間隔に設けた。【選択図】    図１
2014039602.tif 000002
【特許請求の範囲】
【請求項１】
チャンネル形の口両側に細溝が形成された押出形材からなる縦長の主部材と、両細溝に連続して挿入しその間をカバーする複数の長板と、主部材の上下両端を長板が脱出しないように封じる上下一対のキャップと、主部材をそのチャンネル形の内部から壁面に取り付ける固着手段とからなり、長板には棚等の掛止体に付けたフックが掛かる複数の掛止孔を上下間隔に設けたことを特徴とする壁面ハンガー装置。
【請求項２】
前記固着手段は、主部材を壁面に垂直差しで止める位置決めピン付きピンピースが主体であって、該ピースには裏面中央に広く低い凸部を有し、主部材には、底部の少なくとも上下両端部にピンピースのその凸部が浅く突入する抜穴を設け、ピンピースには、左右に一対となる副ピンの通し孔を縦方向に間隔をおいた数対においてそれぞれ下向き傾斜に設けたことを特徴とする請求項１記載の壁面ハンガー装置。
【請求項３】
掛止体のフックが掛かる掛止孔は、フックを通す広口の下方に経溝を介して横長の掛止溝が設けてあることを特徴とする請求項１又は２記載の壁面ハンガー装置。
【請求項４】
掛止体は、パイプを倒伏Ｕ字形に折り曲げ、両端に長板に対する縦長の定着片をその下端で固着し、掛止孔に掛かるフックが定着片の上端部に設けられているタオル掛け等のバーであることを特徴とする請求項１，２又は３項記載の壁面ハンガー装置。
【請求項５】
掛止体は、Ｌ字形の外角形状である一対のアームの上に棚板を支持してなり、両アームの後部上端に長板の掛止孔に掛かるフックが突設されている受け棚であることを特徴とする請求項１，２又は３項記載の壁面ハンガー装置。
【請求項６】
掛止体は、前面開放のボックスの後面に、長板の掛止孔に掛かる一対のフックがビスのねじ込みによりその頭部として突設されているボックス棚であることを特徴とする請求項１，２又は３項記載の壁面ハンガー装置。
【請求項７】
掛止体は、上下長の基板に幅中央に沿って突条片を突設した断面Ｔ字断面の形材からなる本体と、それに装着する帽子等の掛棒とからなり、本体は、突条片の先端部に中空となるポケットが形成され、基板の裏面に上下一対において、ビスを螺入しその頭部をフックとしてあり、掛棒は、ポケットに差し込む軸部の上端部が帽子等の掛け先として形成されていることを特徴とする請求項１，２又は３記載の壁面ハンガー装置。
【発明の詳細な説明】
【技術分野】
【０００１】
この発明は、壁面が釘づけやビス止めに適しない比較的軟質の石膏ボードや、発泡樹脂、軟質木材等の板材である場合に、その壁面に支持して収納棚や陳列棚、各種のハンガー等をフック掛けで取り付けるための壁面ハンガー装置に関する。
【背景技術】
【０００２】
従来、食器棚や本棚等を壁面に対してフック掛けで取り付けるには，壁面又は棚にフック又はフック受けを釘づけまたはビス止めしていたので、その上下調整が容易でなく、また、この場合は、取付対象の壁面は、釘付けやビス止めに耐える強度を有する木製であったが、現在、体裁や断熱性等を考慮して石膏ボードや発泡樹脂等の軟質壁面が多くなっており、これに対して釘づけやビス止めが効かないために、食器棚等の据え付けが強度的にできなくなっているという問題があった。
【０００３】
一方、本出願人においては、これまでの社内実験から、石膏ボード等の軟質壁面に対しては、固定ピンの差し込みにより強力な固定力が簡単に確保できるという知見を得ていた。
【発明の概要】
【発明が解決しようとする課題】
【０００４】
軟弱壁面に対して、ビス止めや釘づけでは所望の固定力が得られないばかりか体裁も望めないことが難点であった。一方、軟弱壁面に対するピン止めが上記の通り強力な固定力を確保できることは分かっていたが、ピン止めの外観を見た感じでは、細いピンの止め方のため、意に反して強度的信頼性および体裁が得られなかった。
【０００５】
この発明は、上記のような実情に鑑みて、取付けの対象が軟弱壁面であっても、棚類、ハンガー類をフック掛けの簡単な作業で強力に取り付けることができ、強度的に信頼性があり体裁も良好である壁面ハンガー装置を提供することを課題とした。
【課題を解決するための手段】
【０００６】
上記の課題を解決するために、この発明は、チャンネル形の口両側に細溝が形成された押出形材からなる縦長の主部材と、両細溝に連続して挿入しその間をカバーする複数の長板と、主部材の上下両端を長板が脱出しないように封じる上下一対のキャップと、主部材をそのチャンネル形の内部から壁面に取り付ける固着手段とからなり、長板には棚等の掛止体に付けたフックが掛かる複数の掛止孔を上下間隔に設けたことを特徴とする壁面ハンガー装置を提供する。
【０００７】
壁面ハンガー装置を上記のように構成したから、これを壁面に装着するには、主部材を壁面に当てた状態において、少なくとも上下両端部を固着手段で止め、下端がキャップで封じられた状態において、上から長板を順次挿入する。それから、上端をキャップで止めると、前面が長板で封じているので、そのいずれかの掛止孔にフックを掛けることにより掛止体を深く掛け止めることができる。
【０００８】
また、壁面に止める主部材が固着手段を位置的や構造的に多様に選択できる長尺のチャンネル形の内部構造となるため、固定を強化安定させやすい。例えば１個のビス止めについては弱くても多数のビスで全体的に強力な固定力が得られるような場合が考えられる。そしてその内部構造は外観からは分からないことに特徴がある。
【発明の効果】
【０００９】
以上説明したように、この発明の壁面ハンガー装置によれば、取付けの対象が軟弱壁面であっても、ピン止め等の固着手段により十分な強度で取り付けることができるとともに強度的信頼性が得られ、また、長板によりピン止めが被覆され、内部の空洞に抜ける深い掛止孔がフック掛け可能に存在し、その選択により上下調整が可能であることはもちろん、棚類、ハンガー類をフック掛けの簡単な作業で強力に取り付けることができ、ピン止めが外観に表れず体裁も良好であるという優れた効果がある。
【図面の簡単な説明】
【００１０】
【図１】この発明の壁面ハンガー装置を一対で示す一部分解斜視図である。
【図２】両壁面ハンガー装置を一方を仮想線で略して示した正面図である。
【図３】同壁面ハンガー装置の側面から見た縦断面図である。
【図４】図２のＡ−Ａ線矢視の拡大断面図である。
【図５】同じくＢ−Ｂ線矢視の拡大断面図である。
【図６】掛止体の他の例を示す斜視図である。
【図７】掛止体のさらに他の例を示す斜視図である。
【図８】掛止体のさらに他の例を示す一部破断した斜視図である。
【図９】掛止体のさらに他の例を示す斜視図である。
【発明を実施するための形態】
【００１１】
この発明において、壁面ハンガー装置１は、原則として左右一対において使用するものであるが、一の独立において使用する場合もある（図９参照）。
【００１２】
また、固着手段は、ピンピースによる場合が強度的に有効であり望ましい。なお、ピンピースのピース長を多くとって、左右一対の副ピン１９，１９の対数を多くして、さらに固着力を強化できる。
【００１３】
ビス止めや釘づけの場合であっても、外観にとらわれずに、例えば本数を多くしたり、ピンピースに相当するピースを使用したりして、ビス止めや釘づけをなしうるため、軟弱壁面に対しても総力で強力な支持力が得られる。
【実施例１】
【００１４】
図１ないし図６は、一実施例を示したもので、その壁面ハンガー装置１、１は、掛止体３を両端で掛けるために、一対において使用されるが、一本において使用されることもあることは前記したとおりである。なお、この場合、掛止体３は、タオル等の布製品を主に掛ける横バー、ハンガーである。
【００１５】
壁面ハンガー装置１、１は、アルミ押出形材からなるチャンネル形の主部材５と、それに挿入することにより組み合わせる同じくアルミ押出形材からなる複数のスライド板７，７と、主部材５の上下両端に嵌着しスライド板７，７を脱出不能に止めるキャップ９ａ、９ｂ等からなる。
【００１６】
主部材５は、アルミ押出形材として、前面開放であって開放口にこれを幅狭くする口縁片１１，１１を有するアリ溝のチャンネル形であるとともに、口縁片１１，１１と並列に内向突片１３，１３を有するもので、所定の長さに於いて切断され、壁面Ｗに対しては上下両端部をピンピース１５，１５でピン止めされる。
【００１７】
ピンピース１５は、位置決めピン１７の頭部がプラスチックで膨大したピース１６として形成され、ピース１６に上下２段に分けて左右各２本ずつ副ピン１９，１９の通し孔１８，１８が交差状に形成されたもので、ピース１６には底面に中心部が円形にやや突出する凸部２１を設けてある。なお、ピンピース１５による本格止めの前に上端部で釘で仮止めされる。５０は、必要により使用する仮止めのビス孔である。
【００１８】
図３が壁面Ｗに主部材５をピン止めした状態を示したもので、主部材５の底面に予め凸部２１が嵌る抜穴２３を設け,凸部２１に副ピン１９の通し孔１８を設けてある。そして、位置決めピン１７を壁面Ｗに刺し通して抜穴２３に定着させてから、副ピン１９，１９を差し込んでピース１６が押えつけられる。なお、左右副ピン１９，１９の差し込みは、斜め下向きであると荷重に耐えやすく、二股交差であると抜けがたいためにそのような差し込み形態をとっている。
【００１９】
上記のように主部材５を取り付けるには、予め下端キャップ９ｂが取り付けられた状態にしておく。そして、上端からスライド板７，７を挿入すると下端キャップ９ｂがストッパーとなる。挿入位置は前記した口縁片１１，１１と内向突片１３，１３との間の左右細溝１２，１２である。ここに上下のスライド板７，７が面一に連続するので、上端をキャップ９ａで止めると決して外れることがなくなる。
【００２０】
スライド板７は、短冊状に矩形であって、これに掛止体３のフック２７が高さ調整可能に掛かる上中下の３個の掛止孔２９，２９，２９が開けられている。掛止孔２９は、フック２７が余裕をもって通る広口３１の下端に経溝３３を介して横長の掛止溝３５を設けたもので、両フック２７，２７の間隔の誤差がこの横長において吸収される。なお、この誤差が問題ないときは、横長の掛止溝３５は不要である。
【００２１】
掛止体３は、この場合、パイプを折り曲げてなるＵ字形の横バー３７の両端にトンボ形の定着片３９，３９がその下端で取り付けられ、その各上端部に切り起こしによりフック２７、２７が形成され裏面に突出している。そして、下端部を貫通するネジ４１がパイプの中に螺入されることにより、定着片３９が固着される。
【００２２】
上下キャップ９ａ、９ｂは、主部材５の底面に接合する部分と細溝１２に嵌る部分とを有するようＵ字形の反転形状であるが、一片を長片４３に他片を短片４４に形成したもので、長片４３の先端部（短片４４より先）に一対のネジ孔４５，４５が形成される。共に同じ形状で上下で互換性がある。これについて、下端では長片４３を下にして押ネジ４７，４７で止められ、上端では長片４３を上にして押ネジ４８，４８で止められる。したがって、スライド板７，７を差し替えるときには、上端のキャップ９ａを押ネジ４８の操作で外し、その開放口からスライド板７を抜き出すことができる。次に掛止体３の他の例を示す。
【００２３】
（掛止体３の他の例）
（１）  図７に示す掛止体３は、Ｌ字形の外角形状である一対のアーム５２，５２の上に棚板５１をビス止めしてなり、両アーム５２の後部上端に長板７の掛止孔２９に掛かるフック２７が突設されている受け棚として構成される。
【００２４】
（２）  図８に示す掛止体３は、棚であって、前面開放のボックスの後面に、長板７の掛止孔２９に掛かる一対のフック２７，２７がビスのねじ込みによりその頭部として突設されている。
【００２５】
（３）  図９に示す掛止体３は、上下長の基板５５に幅中央に沿って突条片５６を突設した断面Ｔ字断面の形材からなる本体と、それに装着する帽子等の掛棒５８とからなり、本体の突条片５６の先端部に中空となるポケット５７が形成され、基板５５の裏面に上下一対において、ビスを螺入しその頭部をフック２７，２７としてあり、掛棒５８は、ポケット５７に差し込む軸部６０より上端部が帽子等の掛け先として形成されている。
【符号の説明】
【００２６】
Ｗ  壁面
１  壁面ハンガー装置
３  掛止体
５  主部材
７  スライド板
９ａ、９ｂ  キャップ
１２  細溝
１５  ピンピース
１７  位置決めピン
１８  通し孔
１９  副ピン
２１  凸部
２３  抜穴
２７  フック
２９  掛止孔
３１  広口
３３  経溝
３５  掛止溝
３７  横バー
３９  定着板
４３  長片
４４  短片
５１  棚板
５５  基板
５６  突条片
５７  ポケット
５８  掛棒
６０  軸部
【図１】
2014039602.tif 000003
【図２】
2014039602.tif 000004
【図３】
2014039602.tif 000005
【図４】
2014039602.tif 000006
【図５】
2014039602.tif 000007
【図６】
2014039602.tif 000008
【図７】
2014039602.tif 000009
【図８】
2014039602.tif 000010
【図９】
2014039602.tif 000011